(57)【要約】      （修正有）【課題】オーディオコンテンツが大ボリュームのまま再生されない、電子装置でウェブページを処理する方法を提供する。【解決手段】ウェブページに対する接続が要請されれば、上記接続要請されたウェブページを分析して、接続要請されたウェブページにオーディオコンテンツと関連した情報が存在するか否かを確認する過程Ｓ２０１〜Ｓ２０３と、オーディオコンテンツと関連した情報が存在すると確認されれば、上記オーディオコンテンツと関連した情報においてオーディオコンテンツが自動再生されるように設定されているか否かを確認する過程Ｓ２０５と、上記オーディオコンテンツの自動再生が活性化されているか否かによって、上記オーディオコンテンツの再生を制御できるインタフェースを表示してウェブページを表示する過程Ｓ２０９〜Ｓ２１１とを含む。【選択図】図２
2014182827.tif 000002
【特許請求の範囲】
【請求項１】
電子装置におけるウェブページを処理する方法であって、
ウェブページに対する接続が要請されれば、前記接続要請されたウェブページを分析して、接続要請されたウェブページにオーディオコンテンツと関連した情報が存在するか否かを確認する過程と、
オーディオコンテンツと関連した情報が存在すると確認されれば、前記オーディオコンテンツと関連した情報においてオーディオコンテンツが自動再生されるように設定されているか否かを確認する過程と、
前記オーディオコンテンツの自動再生が活性化されているか否かによって、前記オーディオコンテンツの再生を制御できるインタフェースを表示してウェブページを表示する過程と、
を含むことを特徴とする、ウェブページ処理方法。
【請求項２】
前記ウェブページを表示する過程は、
前記インタフェースを表示した後、自動再生が活性化されているオーディオコンテンツを自動再生しながら又は自動再生せずに、前記接続要請されたウェブページを表示する過程を含むことを特徴とする、請求項１に記載のウェブページ処理方法。
【請求項３】
前記ウェブページを表示する過程は、
前記オーディオコンテンツの自動再生が活性化されていないと確認されれば、前記オーディオコンテンツの再生を制御できるインタフェースを表示しながら前記接続要請されたウェブページを表示する過程を含むことを特徴とする、請求項１に記載のウェブページ処理方法。
【請求項４】
前記ウェブページを表示する過程は、
前記オーディオコンテンツの自動再生が活性化されていると確認されれば、前記オーディオコンテンツの自動再生が活性化されていることを通報する警告メッセージを表示する過程と、
前記オーディオコンテンツの再生を制御できるインタフェースを表示する過程と、
を含むことを特徴とする、請求項１に記載のウェブページ処理方法。
【請求項５】
電子装置の動作モードが予め設定されたボリューム以下の動作モードであるかを確認する過程と、
前記動作モードが予め設定されたボリューム以下の動作モードであれば、前記自動再生が活性化されたオーディオコンテンツを自動再生しながらウェブページを表示する過程と、
をさらに含むことを特徴とする、請求項４に記載のウェブページ処理方法。
【請求項６】
電子装置の動作モードが予め設定されたボリューム以下の動作モードであるかを確認する過程と、
前記動作モードが予め設定されたボリューム以下の動作モードでなければ、前記自動再生が活性化されたオーディオコンテンツを自動再生せずにウェブページを表示する過程と、
をさらに含むことを特徴とする、請求項４に記載のウェブページ処理方法。
【請求項７】
所定の時間が経過すれば、前記表示されたインタフェースはそれ以上表示しない過程をさらに含むことを特徴とする、請求項４に記載のウェブページ処理方法。
【請求項８】
電子装置におけるウェブページを処理する装置であって、
表示部と、
ウェブページに対する接続が要請されれば、前記接続要請されたウェブページを分析して、接続要請されたウェブページにオーディオコンテンツと関連した情報が存在するか否かを確認し、
オーディオコンテンツと関連した情報が存在すると確認されれば、前記オーディオコンテンツと関連した情報においてオーディオコンテンツが自動再生されるように設定されているか否かを確認し、
前記オーディオコンテンツの自動再生が活性化されているか否かによって、前記オーディオコンテンツの再生を制御できるインタフェースを前記表示部に前記接続要請されたウェブページと共に表示するように制御する制御部を含むことを特徴とする、ウェブページ処理装置。
【請求項９】
前記制御部は、前記ウェブページを表示するに当たって、
前記インタフェースを表示した後、自動再生が活性化されているオーディオコンテンツを自動再生しながら又は自動再生せずに、前記接続要請されたウェブページを表示するように制御することを特徴とする、請求項８に記載のウェブページ処理装置。
【請求項１０】
前記制御部は、前記ウェブページを表示するに当たって、
前記オーディオコンテンツの自動再生が活性化されていないと確認されれば、前記オーディオコンテンツの再生を制御できるインタフェースを表示しながら前記接続要請されたウェブページを表示するように制御することを特徴とする、請求項８に記載のウェブページ処理装置。
【請求項１１】
前記制御部は、前記ウェブページを表示するに当たって、
前記オーディオコンテンツの自動再生が活性化されていると確認されれば、前記オーディオコンテンツの自動再生が活性化されていることを通報する警告メッセージを表示し、前記オーディオコンテンツの再生を制御できるインタフェースを表示するように制御することを特徴とする、請求項８に記載のウェブページ処理装置。
【請求項１２】
前記制御部は、前記ウェブページを表示するに当たって、
電子装置の動作モードが予め設定されたボリューム以下の動作モードであるかを確認し、前記動作モードが予め設定されたボリューム以下の動作モードであれば、前記自動再生が活性化されたオーディオコンテンツを自動再生しながらウェブページを表示するように制御することを特徴とする、請求項１１に記載のウェブページ処理装置。
【請求項１３】
前記制御部は、
電子装置の動作モードが予め設定されたボリューム以下の動作モードであるかを確認し、
前記動作モードが予め設定されたボリューム以下の動作モードでなければ、前記自動再生が活性化されたオーディオコンテンツを自動再生せずにウェブページを表示するように制御することを特徴とする、請求項１１に記載のウェブページ処理装置。
【請求項１４】
前記制御部は、
所定の時間が経過すれば、前記表示されたインタフェースはそれ以上表示しないように制御することを特徴とする、請求項１１に記載のウェブページ処理装置。
【発明の詳細な説明】
【技術分野】
【０００１】
本発明は電子装置に関し、より詳しくは、電子装置がウェブページを表示する時、ユーザにとりより便利なウェブページ表示のための処理方法及びその電子装置に関する。
【背景技術】
【０００２】
電子装置の性能が向上するにつれて、近来の電子装置は単純な１つの機能のみを提供していない。例えば、スマートフォンのような携帯端末機はマルチメディアプレーヤー、電子ブックリーダ、文書編集機、及びゲーム機としての機能など、無数の多様な機能を提供している。
【０００３】
例えば、携帯端末機のような電子装置の場合、性能が高性能化し、表示画面の解像度が増加するにつれて、携帯端末機を用いたウェブブラウジングの利用が普遍化されており、ユーザが特定ウェブページへの接続を要請すると、接続要請されたウェブページのＨＴＭＬコードがパーシング（ｐａｒｓｉｎｇ、分析）された後にパーシング結果に対応するようにウェブページのコンテンツを表示する。
【０００４】
一方、近来のウェブページはオーディオコンテンツと動映像コンテンツのような多数のマルチメディアコンテンツを提供する場合が多い。
ところで、携帯端末機はウェブページのＨＴＭＬコードのパーシング結果によってマルチメディアコンテンツを提供（例えば、音楽ファイル又は動映像コンテンツの再生又は表示）するため、音の出力が伴われるマルチメディアコンテンツが含まれるウェブページに接続される場合、特定の状況ではユーザにとり不便、不都合な事態を引き起こすことがある。
【０００５】
例えば、ユーザが、音の出力が禁止された状況（例えば、授業中、会議中、又は公共場所）におり、携帯端末機のボリューム設定が高い大きさに設定されている状況で、背景音楽（ＢＧＭ：Ｂａｃｋｇｒｏｕｎｄ  Ｍｕｓｉｃ）が自動再生されるようにＨＴＭＬコードが作成されたウェブページに接続される場合、ユーザはさまざまな不都合を被る。
【０００６】
また、携帯端末機の表示部はサイズ又は解像度がＰＣモニターに比べて相対的に小さいため、携帯端末機が多数の動映像コンテンツを提供するウェブページに接続される場合、ウェブページ内の動映像コンテンツのリストを全て確認できないという不便が存在する。
【０００７】
従って、オーディオコンテンツと動映像コンテンツのようなマルチメディアコンテンツを含むウェブページを処理（例えば、表示）するに当たって、前述した従来技術の問題点を解消して、より便利にウェブページ接続を通じてのウェブブラウジング機能を提供する必要がある。
【先行技術文献】
【特許文献】
【０００８】
【特許文献１】韓国特許登録第０８２２１７２号公報
【発明の概要】
【発明が解決しようとする課題】
【０００９】
従って本発明は、オーディオコンテンツと動映像コンテンツのようなマルチメディアコンテンツを含むウェブページを処理する時、オーディオコンテンツが大きいボリュームのまま再生されて困難な状況に陥いるという従来技術の不都合性と、動映像コンテンツのリスト全体を容易に確認できないという従来技術の不便性と、を解消できる発明を提供する。
【課題を解決するための手段】
【００１０】
本発明の多様な実施形態は、電子装置でウェブページを処理する方法において、ウェブページに対する接続が要請されれば、上記接続要請されたウェブページのＨＴＭＬコードを分析して、接続要請されたウェブページにオーディオコンテンツと関連したタグ（ＨＴＭＬ  Ｔａｇ）が存在するか否かを確認する過程と、オーディオコンテンツと関連したタグが存在すると確認されれば、上記オーディオコンテンツと関連したタグにおいてオーディオコンテンツが自動再生されるように設定されているか否かを確認する過程と、上記オーディオコンテンツの自動再生が活性化されているか否かによって、上記オーディオコンテンツの再生を制御できるインタフェースを表示してウェブページを表示する過程を含む。
【００１１】
また、本発明の多様な実施形態は、電子装置でウェブページを処理する方法において、ウェブページに対する接続が要請されれば、接続要請されたウェブページのＨＴＭＬコードを分析して、接続要請されたウェブページに動映像コンテンツと関連したタグが存在するか否かを確認する過程と、上記動映像コンテンツと関連したタグが存在すると確認されれば、動映像コンテンツの再生を制御するインタフェースを表示しながら上記接続要請されたウェブページを表示する過程を含むことができる。
【００１２】
また、本発明の多様な実施形態は、電子装置でウェブページを処理する装置において、表示部と、ウェブページに対する接続が要請されれば、上記接続要請されたウェブページのＨＴＭＬコードを分析して、接続要請されたウェブページにオーディオコンテンツと関連したタグ（ＨＴＭＬ  Ｔａｇ）が存在するか否かを確認し、オーディオコンテンツと関連したタグが存在すると確認されれば、上記オーディオコンテンツと関連したタグにおいてオーディオコンテンツが自動再生されるように設定されているか否かを確認し、上記オーディオコンテンツの自動再生が活性化されているか否かによって、上記オーディオコンテンツの再生を制御できるインタフェースを前記表示部に上記接続要請されたウェブページと共に表示するように制御する制御部を含む。
【００１３】
また、本発明の多様な実施形態は、電子装置でウェブページを処理する装置において、表示部と、ウェブページに対する接続が要請されれば、接続要請されたウェブページのＨＴＭＬコードを分析して、接続要請されたウェブページに動映像コンテンツと関連したタグが存在するか否かを確認し、上記動映像コンテンツと関連したタグが存在すると確認されれば、動映像コンテンツの再生を制御できるインタフェースを前記表示部に上記接続要請されたウェブページと共に表示するように制御する制御部を含むことができる。
【発明の効果】
【００１４】
本発明は、ウェブページ接続時、自動で再生されるオーディオコンテンツが大きい出力ボリュームに再生されて困難な状況に陥いることがある問題点を解消し、接続されたウェブページで提供される動映像コンテンツのリスト全体を一度に確認できる効果がある。
【図面の簡単な説明】
【００１５】
【図１】本発明の実施形態に従う電子装置のブロック図である。
【図２】本発明の第１実施形態に従ってウェブページを処理する過程に対するフローチャートである。
【図３】第１実施形態に従ってウェブページを処理する過程に対する第１例示図である。
【図４】第１実施形態に従ってウェブページを処理する過程に対する第２例示図である。
【図５】第１実施形態に従ってウェブページを処理する過程に対する第３例示図である。
【図６】第１実施形態に従ってウェブページを処理する過程に対する第４例示図である。
【図７】本発明の第２実施形態に従ってウェブページを処理する過程に対するフローチャートである。
【図８】第２実施形態に従ってウェブページを処理する過程に対する第１例示図である。
【図９】第２実施形態に従ってウェブページを処理する過程に対する第２例示図である。
【図１０】第２実施形態に従ってウェブページを処理する過程に対する第３例示図である。
【図１１】第２実施形態に従ってウェブページを処理する過程に対する第４例示図である。
【発明を実施するための形態】
【００１６】
以下、図面を参照して本発明の実施形態について説明する。
図１は、本発明の実施形態に従う携帯端末機のブロック図である。
【００１７】
携帯端末機は本発明の実施形態に従う電子装置の代表的な例であって、携帯端末機を通じて本発明の実施形態に従う電子装置について説明する。一方、本発明の実施形態に従う携帯端末機は、従来のフィーチャーフォン（ｆｅａｔｕｒｅ  ｐｈｏｎｅ）、タブレット（Ｔａｂｌｅｔ）、そしてｗｉｎｄｏｗｓ  ８、ｉＯＳ、及びＡｎｄｒｏｉｄなどで駆動されるスマートフォン（Ｓｍａｒｔ  Ｐｈｏｎｅ）、などの、携帯が容易で移動可能な電子装置であると仮定する。
【００１８】
図１を参照して本発明の実施形態に従う携帯端末機について説明すると、次の通りである。
無線送受信部２３は、ＲＦ部とモデム（ＭＯＤＥＭ）を含む。ＲＦ部は、送信される信号の周波数を上昇変換及び増幅するＲＦ送信機と、受信される信号を低雑音増幅し、周波数を下降変換するＲＦ受信機などを含む。モデムは、送信される信号を符号化及び変調する送信機及びＲＦ部で受信される信号を復調及び復号化する受信機などを含む。
【００１９】
本発明の実施形態に従う無線送受信部２３を通じてユーザはウェブページに接続してウェブページが提供するオーディオコンテンツ及び動映像コンテンツを利用（例えば、ストリーミングして）できる。
【００２０】
オーディオ処理部２５はコーデック（Ｃｏｄｅｃ）を構成し、上記コーデックはデータコーデックとオーディオコーデックを含む。データコーデックはパケットデータなどを処理し、オーディオコーデックは音声とマルチメディアファイルなどのオーディオ信号を処理する。オーディオ処理部２５は、モデムで受信されるデジタルオーディオ信号を、上記オーディオコーデックを通じてアナログ信号を変換してスピ−カ（ＳＰＫ）を通じて再生するか、又はマイク（ＭＩＣ）から発生するアナログオーディオ信号を、上記オーディオコーデックを通じてデジタルオーディオ信号に変換してモデムに転送する機能を遂行する。上記コーデックは、別途に備えられるか、又は制御部１０に含まれる。
【００２１】
本発明の実施形態に従うオーディオ処理部２５を通じて、ユーザは接続されたウェブページで提供するオーディオコンテンツ及び動映像コンテンツの音を聴くことができる。
【００２２】
キー入力部２７は、数字及び文字情報の入力に必要なキー及び各種の機能の設定に必要な機能キー、又はタッチパッドなどを含み得る。表示部５０が静電式又は感圧式のタッチ表示画面方式により具現される場合、キー入力部２７は予め設定された最小限のキーのみを含み、表示部５０はキー入力部２７のキー入力機能を一部代替できる。
【００２３】
メモリ３０はプログラムメモリ及びデータメモリから構成され、プログラムメモリには携帯端末機の一般的な動作を制御するためのプログラムが格納される。メモリ３０は、ＣＦ（Ｃｏｍｐａｃｔ  Ｆｌａｓｈ）、ＳＤ（Ｓｅｃｕｒｅ  Ｄｉｇｉｔａｌ）、Ｍｉｃｒｏ−ＳＤ（Ｍｉｃｒｏ  Ｓｅｃｕｒｅ  Ｄｉｇｉｔａｌ）、Ｍｉｎｉ−ＳＤ（Ｍｉｎｉ  Ｓｅｃｕｒｅ  Ｄｉｇｉｔａｌ）、ｘＤ（Ｅｘｔｒｅｍｅ  Ｄｉｇｉｔａｌ）、及びＭｅｍｏｒｙ  Ｓｔｉｃｋなどの外装型メモリをさらに含み得る。また、メモリ３０はＨＤＤ（Ｈａｒｄ  Ｄｉｓｋ  Ｄｒｉｖｅ）及びＳＳＤ（Ｓｏｌｉｄ  Ｓｔａｔｅ  Ｄｉｓｋ）などのディスクも含み得る。
【００２４】
表示部５０は、ＬＣＤ（Ｌｉｑｕｉｄ  Ｃｒｙｓｔａｌ  Ｄｉｓｐｌａｙ）又はＯＬＥＤ（Ｏｒｇａｎｉｃ  Ｌｉｇｈｔ  Ｅｍｉｔｔｉｎｇ  ＤｉｏｄｅｓとしてＰＭＯＬＥＤ又はＡＭＯＬＥＤ）などからなり、携帯端末機で発生する各種の表示情報を出力する。表示部５０は、静電式（又は、静電容量方式）、又は感圧方式などのタッチスクリーン（Ｔｏｕｃｈ  Ｓｃｒｅｅｎ）を含んでキー入力部２７と共に携帯端末機を制御する入力部として動作できる。
【００２５】
本発明の実施形態に従う表示部５０を通じてユーザは接続要請によって表示されるウェブページを閲覧し、ウェブページで提供されるオーディオコンテンツ及び動映像コンテンツを使用できる。
【００２６】
制御部１０は、本発明の実施形態に従う携帯端末機の全般的な動作を制御し、キー入力部２７又は表示部５０などを通じて入力されるユーザ入力によって携帯端末機の動作を切換及び制御する。本発明の実施形態に従う制御部１０は、接続要請されたウェブページのＨＴＭＬコードを分析して、接続要請されたウェブページで提供されるマルチメディアコンテンツの種類（例えば、オーディオコンテンツ又は動映像コンテンツ）を確認してマルチメディアコンテンツの種類別にウェブページ処理を適応的に行う本発明の実施形態の全般的な動作を制御する。
【００２７】
例えば、本発明の実施形態に従う制御部１０は、ウェブページに対する接続が要請されれば、上記接続要請されたウェブページのＨＴＭＬコードを分析する過程と、接続要請されたウェブページにオーディオコンテンツと関連したタグ（ＨＴＭＬ  Ｔａｇ）が存在するかを確認する過程と、オーディオコンテンツに関連したタグが存在すると確認されれば、上記オーディオコンテンツと関連したタグでオーディオコンテンツが自動再生されるように設定されているかを確認する過程と、上記オーディオコンテンツの自動再生が活性化されていない場合には、上記オーディオコンテンツの再生を制御できるインタフェースを表示し、自動再生が活性化されている場合には、オーディオコンテンツを自動再生するか、又は自動再生せずに上記接続要請されたウェブページを表示する過程と、に関連した一連の動作を制御する。
【００２８】
また、本発明の実施形態に従う制御部１０は、ウェブページに対する接続が要請されれば、接続要請されたウェブページのＨＴＭＬコードを分析する過程と、接続要請されたウェブページに動映像コンテンツと関連したタグが存在するかを確認する過程と、動映像コンテンツに関連したタグが存在すると確認されれば、動映像コンテンツの再生を制御できるインタフェースを表示しながら上記接続要請されたウェブページを表示する過程と、に関連した一連の動作を制御する。
【００２９】
図２は本発明の第１実施形態に従ってウェブページを処理する過程に対するフローチャートであり、図３乃至図６は各々第１実施形態に従ってウェブページを処理する過程に対する第１例示図乃至第４例示図である。これらの図面を参照して、ユーザの要請によって表示されるウェブページにおいてオーディオコンテンツ（例えば、オーディオファイル）の再生と関連したタグが確認される場合、ウェブページの処理過程を本発明の第１実施形態に対して説明すると、次の通りである。
【００３０】
ステップＳ２０１乃至Ｓ２０３において、制御部１０はウェブページに対する接続が要請されれば、接続要請されたウェブページのＨＴＭＬコードを分析して、接続要請されたウェブページにオーディオコンテンツと関連したタグ（ＨＴＭＬ  Ｔａｇ）が存在するかを確認するように制御する。
【００３１】
図３を参照すると、図３に示された３１０ａの表示画面は３１１乃至３１５の音楽ファイルに対する情報を提供するウェブページの例を、表示するウェブページの表示例として示している。
【００３２】
図３の表示画面３１０ａのように表示されるウェブページは、音楽ファイルに対する情報を表示しているので、３１１乃至３１５の音楽ファイルのうち、何れか１つの音楽ファイルが自動で再生されるように設定されている可能性がある。また、本発明の他の実施形態によって上記ウェブページの画面上に上記図３の表示画面３１０ａに示したような音楽ファイルの情報が表示されない場合でも、ウェブページのコード（例えば、ＨＴＭＬタグ情報）に３１１乃至３１５の音楽ファイルのうち、何れか１つの音楽ファイルが自動で再生されるように設定されている可能性がある。このような場合にも後述する本発明の多様な実施形態が適用できる。
【００３３】
例えば、３１０ａのような表示画面を通じて表示されるウェブページに接続された場合、３１１の音楽ファイルが自動的に大ボリュームで再生される場合があり、これはユーザにさまざまな不都合を引き起こす可能性がある。
【００３４】
従って、本発明の実施形態に従う制御部１０は接続要請されたウェブページのＨＴＭＬコードを分析して、オーディオコンテンツと（又は、オーディオコンテンツの再生と）関連したタグ（ＨＴＭＬ  Ｔａｇ）が存在するか否かを確認するように制御する。これを通じて、制御部１０は追加的に接続要請されたウェブページが提供するマルチメディアコンテンツの種類がオーディオコンテンツ（例えば、ｍｐ３ファイル）であることを確認する。
【００３５】
図４を参照すると、接続要請されたウェブページのＨＴＭＬコードに３２１、３２２、及び３２３のようなＨＴＭＬタグが存在すれば、該当タグの属性（例えば、音楽ファイルの経路及び拡張子）によって音楽ファイルがウェブページを通じて提供される。従って、本発明の実施形態に従う制御部１０は接続要請されたウェブページのＨＴＭＬコードのうち、図４に示された例のようなＨＴＭＬコードが確認されれば、該当ウェブページにオーディオコンテンツと（又は、オーディオコンテンツの再生と）関連したタグが存在すると判断する。
【００３６】
反対に、図４に示された例のようなＨＴＭＬコードが確認されない場合には、該当ウェブページにオーディオコンテンツと関連したタグが存在しないと判断する。
【００３７】
ステップＳ２０４で、制御部１０はステップＳ２０３の確認結果からオーディオコンテンツの再生と関連したタグが存在しないと確認されれば、ＨＴＭＬコード分析によって接続要請されたウェブページが表示されるように制御する。
【００３８】
前述したように、接続要請されたウェブページのＨＴＭＬコードを分析した結果、図４に示された例のようなＨＴＭＬコードが確認されなければ、制御部１０は接続要請されたウェブページにオーディオコンテンツと関連したタグが存在しないと判断する。
【００３９】
以後、制御部１０はウェブページのＨＴＭＬコード分析結果に対応するようにウェブページが表示部５０の表示画面を通じて表示されるように制御する。例えば、図３の３１０として示された表示画面のようにウェブページが表示される。
【００４０】
従って、本発明の実施形態において、オーディオコンテンツと関連したタグが存在しない場合、ウェブページの表示処理方法は従来技術のウェブページ処理方法と同一と理解される。
【００４１】
ステップＳ２０５で、制御部１０は、ステップＳ２０３の確認結果からオーディオコンテンツと関連したタグが存在すると確認されれば、オーディオコンテンツが自動再生されるように設定されているか否かを確認するように制御する。
【００４２】
ステップＳ２０３の確認結果、接続要請されたウェブページのＨＴＭＬコードのうち、オーディオコンテンツの再生と関連したタグが存在すると判断されれば、本発明の実施形態に従う制御部１０は該当タグでオーディオコンテンツの再生が自動に設定されているか否かを確認する。
【００４３】
この際、オーディオコンテンツが自動再生されるように設定されているか否かは、オーディオコンテンツと対応するタグ内に、「自動再生が真」（ａｕｔｏｐｌａｙ  ＴＲＵＥ）、又は「自動再生が偽」（ａｕｔｏｐｌａｙ  ＦＡＬＳＥ）のような文言が設定されているかを確認して認識される。
【００４４】
例えば、図３で３１０ａの表示画面として表示されたウェブページにおいて、音楽ファイル３１１と関連して、＜ｂｇｓｏｕｎｄ  ｓｒｃ＝”ｗｗｗ．  Ｎｕｊａｂｅｓ．ｃｏｍ／ｌｕｖｓｉｃ  ｐｔ．１．ｍｐ３  ａｕｔｏｐｌａｙ＝ｔｒｕｅ＞のようなタグが確認されれば、制御部１０は該当オーディオコンテンツが自動再生されるように設定されていることが認識される。
【００４５】
ステップＳ２０６で、制御部１０はステップＳ２０５の確認結果からオーディオコンテンツの自動再生が不活性化されていると確認されれば、オーディオコンテンツの再生を制御できるインタフェースを表示しながらウェブページを表示するように制御する。
【００４６】
図３で３１０ａの表示画面として表示されたウェブページにおいて、音楽ファイル３１１と関連して、＜ｂｇｓｏｕｎｄ  ｓｒｃ＝”ｗｗｗ．  ｎｕｊａｂｅｓ．ｃｏｍ／ｌｕｖｓｉｃ  ｐｔ．１．ｍｐ３  ａｕｔｏｐｌａｙ＝ｆａｌｓｅ＞のようなタグが確認されれば、制御部１０はオーディオコンテンツの自動再生が不活性化されていると認識する。この場合、制御部１０は従来技術と同様に該当ウェブページを表示し、表示結果は図３に示すように表示される。
【００４７】
一方、本発明の実施形態は、ウェブページ内のオーディオコンテンツが自動再生されないように設定されている場合でも、ウェブページ内でオーディオコンテンツと関連したタグが確認される場合には、オーディオコンテンツの再生を制御できるインタフェースを表示してユーザがオーディオコンテンツの再生を速やかに制御できる機能を提供する。
【００４８】
例えば、本発明の実施形態に従う制御部１０は、図５の表示画面３１０ｃに示すように、オーディオコンテンツの再生を制御できるインタフェース３３０を表示するように制御する。
【００４９】
これを通じて、ユーザはオーディオコンテンツの再生を制御（例えば、ボリューム制御）するための別途の入力が無い場合でも速やかにオーディオコンテンツの再生を制御（例えば、ボリュームを自身の趣向に合うように調節）した後、該当オーディオコンテンツの再生を要請できる。
【００５０】
ステップＳ２０７乃至Ｓ２１１において、制御部１０はステップＳ２０５の確認結果からオーディオコンテンツの自動再生が活性化されていると確認されれば、警告メッセージを表示した後、オーディオコンテンツの再生を制御できるインタフェースを表示し、携帯端末機の動作モードがマナーモード（例えば、無音モード又は振動モード）、又は予め設定されたボリュームサイズ以下の動作モードでない場合には、オーディオコンテンツを自動再生しながらウェブページが表示されるように制御し、携帯端末機の動作モードがマナーモード（例えば、無音モード又は振動モード）、又は予め設定されたボリュームレベル以下の動作モードの場合には、オーディオコンテンツを自動再生せずにウェブページが表示されるように制御する。
【００５１】
接続要請されたウェブページのＨＴＭＬ分析結果、オーディオコンテンツが自動再生されるように設定されていることが確認される場合、制御部１０は図６の表示画面３１０ｄに示すような警告メッセージ（警告ＵＩ）３４０に次いで表示画面３１０ｅに示すようなインタフェース３３０を表示した後、携帯端末機の動作モードが予め設定されたボリュームレベル以下か否かを判断する。
【００５２】
動作モードが予め設定されたボリュームレベル以下であると確認（例えば、マナーモード又はｓｉｌｅｎｔ  ｍｏｄｅと確認）されれば、制御部１０はオーディオコンテンツを自動再生せずにウェブページが表示されるように制御する。
【００５３】
例えば、本発明の実施形態はウェブページで提供されるオーディオコンテンツが自動再生されるように設定されていても、携帯端末機の動作モードがマナーモードの場合（又は、オーディオコンテンツの再生と関連して最大ボリュームレベルの１０％サイズに設定された場合）には、自動再生設定を無視し、オーディオコンテンツが自動再生されないように制御する。
【００５４】
これを通じて、マナーモードの状況でウェブページ接続によって突然に大きい音量に音楽ファイルが再生されるという問題点を解消できる。
反対に、携帯端末機の動作モードが予め設定されたボリュームレベル以下でないと確認（例えば、マナーモード又はｓｉｌｅｎｔ  ｍｏｄｅでない、一般モードであると確認）されれば、制御部１０はオーディオコンテンツを自動再生しながらウェブページを表示するように制御する。
【００５５】
例えば、本発明の実施形態は携帯端末機の動作モードがマナーモードでない場合（オーディオコンテンツが大ボリュームで再生されても問題のない場合）には、ウェブページのＨＴＭＬコードによってオーディオコンテンツが自動再生されるように制御しながらウェブページが表示されるように制御する。
【００５６】
このような本発明の実施形態を通じて、ユーザはウェブページ接続時、自動で音楽ファイルが再生されて困難な状況に陥いる不都合を回避できる。
例えば、ステップＳ２１０の以後、ユーザはキー入力部２７のハードウェアキー又はインタフェース３３０を用いて音楽ファイルの再生ボリュームを調節した後、ウェブページに対する入力を通じて所定のオーディオコンテンツが再生されるように要請することができる。
【００５７】
また、ステップＳ２１１の後、ユーザはインタフェース３３０又はキー入力部２７のハードウェアキーを用いた迅速なボリューム調節を通じて、自動再生中のオーディオコンテンツの再生ボリュームレベルを調節できる。
【００５８】
一方、本発明の第１実施形態に対する変形を通じてステップＳ２０９乃至Ｓ２１１では、オーディオコンテンツの再生ボリュームレベルが予め設定されたサイズ以上に設定されている場合（例えば、最大サイズに設定されている場合）には、予め設定されたサイズ以下に再設定した後、自動再生されるように設定されたオーディオコンテンツを再生する実施形態で代替することが可能である。
【００５９】
また、本発明の第１実施形態に対する変形を通じて、音楽ファイルが自動再生されるように設定された場合にも、マナーモード設定か否かに関わらず、自動再生せずに警告メッセージを表示した後、所定時間が経過した後に音楽ファイルを自動再生するか、又はマナーモード設定か否かに関わらず、自動再生せずに警告メッセージを表示した後にユーザの許容がある場合のみに音楽ファイルを再生する等の実施形態を適用することが可能である。
【００６０】
一方、図５及び図６を通じて示されるオーディオコンテンツの再生を制御できるインタフェース３３０は、ボリュームのみ制御可能なインタフェースを示しているが、これは本発明を適用するに当たって、さまざまな形態に変形可能である。例えば、再生、一時停止などの機能もインタフェース内に含まれ得る。
【００６１】
また、オーディオコンテンツの再生を制御できるインタフェース３３０は予め設定された位置に表示されるが、図５及び図６を通じて示されたインタフェース３３０は予め設定された位置が表示画面の下端である例を説明している。
【００６２】
その際、インタフェース３３０の予め設定された位置は携帯端末機の利用にとり最も邪魔にならない位置であることが好ましい。また、インタフェース３３０はオーバーレイ（Ｏｖｅｒｌａｙ）形態に表示でき、透明度も実施形態によって変更できる。
【００６３】
また、インタフェース３３０はインタフェースが表示された後の所定の時間が経過すれば、それ以上表示されないように設定されることもでき、表示されたインタフェース３３０に対するユーザ入力（例えば、ボリューム調節）が完了すれば、それ以上表示されないように設定されることもできる。
【００６４】
図７は本発明の第２実施形態に従ってウェブページを処理する過程に対するフローチャートであり、図８乃至図１１は各々第２実施形態に従ってウェブページを処理する過程に対する第１例示図乃至第４例示図である。これらの図面を参照して、ユーザの要請によって表示されるウェブページにおいて動映像コンテンツと（例えば、動映像コンテンツの再生と）関連したタグが確認される場合の、ウェブページの処理過程を本発明の第２実施形態に対して説明すると、次の通りである。
【００６５】
まず、本発明の第２実施形態は、ユーザが図８の表示画面５１０ａに示された５０１、５０２、及び５０３のような各種の運動方法に関する動映像情報（例えば、二頭筋（ｂｉｃｅｐｓ）運動法に対する動映像コンテンツ）を獲得するために、所定のウェブページに対する接続を要請した場合を仮定する。また、５０１、５０２、及び５０３のような各種運動方法に関する動映像情報を獲得するために、ウェブページに接続すれば、接続されたウェブページは運動方法５０１、５０２、及び５０３に各々対応する動映像コンテンツ５１１、５１２、及び５１３（５１３は図示せず）が表示される場合を仮定する。
【００６６】
ステップＳ４０１乃至Ｓ４０３で、制御部１０はウェブページに対する接続が要請されれば、接続要請されたウェブページのＨＴＭＬコードを分析して、接続要請されたウェブページに動映像（又は、動映像コンテンツの再生）と関連したタグが存在するか否かを確認するように制御する。
【００６７】
図８に示された５０１、５０２、及び５０３に対する動映像情報を獲得するために、ウェブページに接続要請した場合、従来技術によるウェブページ処理方法を適用した場合は、図８の表示画面５１０ａにて示したように、携帯端末機の表示部のサイズ制約によって３個の動映像情報のうち、例えば、５１１及び５１２の２つの動映像コンテンツ（又は、動映像コンテンツに対する情報、例えば動映像コンテンツのサムネイルなど）のみが表示される。
【００６８】
即ち、従来技術によりウェブページを処理（例えば、表示）する場合は、５１１、５１２、及び５１３（図８では図示せず）の３つ動映像コンテンツのうち、５１１及び５１２の動映像コンテンツのみ表示され、ユーザが５１３の動映像コンテンツの表示を欲する場合は、表示画面５１０ａに対するスクローリングを通じて５１３の動映像コンテンツが追加表示されるように要請するしかないという不便な問題点がある。
【００６９】
従って、前述した従来技術の問題点が解消できるように、本発明の実施形態に従う制御部１０は接続要請されたウェブページのＨＴＭＬコードを分析して、図９に示されたＨＴＭＬタグ５２１又は５２２などの例のような動映像コンテンツ（又は、動映像コンテンツの再生）と関連したタグが存在するか否かを確認するように制御する。
【００７０】
ステップＳ４０４で、制御部１０は接続要請されたウェブページに動映像コンテンツと関連したタグが存在すると確認されれば、動映像コンテンツの再生を制御できるインタフェースを表示しながら、ＨＴＭＬコード分析結果に対応して接続要請されたウェブページが表示されるように制御する。
【００７１】
ステップＳ４０４を通じて、制御部１０は図３の表示画面３１０ａに示した音楽ファイル３１１乃至３１５のリストに類似する、運動方法５０１乃至５０３に対応する動映像ファイルリスト（図示せず）のようにＨＴＭＬコード分析結果に対応するウェブページを表示して、ユーザが表示された動映像コンテンツ５１１及び５１２を利用できるように制御する。例えば、図１０の５１０ｂの表示画面においてユーザは５１１の動映像コンテンツに対するタッチ入力を通じて５１１の動映像コンテンツが再生されるように要請できる。
【００７２】
追加的に、ステップＳ４０４を通じて本発明の実施形態では制御部１０は、図１０の５１０ｂの表示画面において示されたように、動映像コンテンツの再生を制御できるインタフェース５３０を表示する。これを通じて、ユーザは表示された動映像コンテンツ（例えば、５１１又は５１２）に対する再生を要請する前に、動映像コンテンツの音出力レベルを調節できる。
【００７３】
また、本発明の実施形態の変形を通じて、図１０の５１０ｃの表示画面において示されたように、制御部１０はステップＳ４０４で５３０のインタフェースと共に５３１のようなインタフェースも表示されるように制御できる。
【００７４】
インタフェース５３１は、ポップアッププレイ機能を提供するインタフェースである。ここで、ポップアッププレイには携帯端末機の製造社によってさまざまな種類の名称が付けられている。ポップアッププレイは、動映像コンテンツ又はデジタル放送（Ｄｉｇｉｔａｌ  Ｍｕｌｔｉｍｅｄｉａ  Ｂｒｏａｄｃａｓｔｉｎｇ）などの再生画面を別途の表示画面（例えば、全体表示部に比べて相対的に小さなサイズの表示画面）に表示して、動映像コンテンツを見ながら他の作業（例えば、インタネットサーフィン）を同時に実行できるようにする機能を提供する。
【００７５】
ステップＳ４０５乃至Ｓ４０６で、制御部１０はウェブページを表示した後、ＨＴＭＬコード分析結果に基づいて表示中のウェブページに表示される動映像コンテンツの個数が予め設定された個数以上か否かを確認（例えば、２つ以上か否かを確認）し、予め設定された個数以上であると確認されれば、表示される動映像コンテンツのリストを表示画面の予め設定された位置に表示するように制御する。
【００７６】
前述したように、図１０の表示画面（５１０ｂ及び５１０ｃ）のように５１１及び５１２の動映像コンテンツのみ表示される場合、ユーザは５１１及び５１２のうち、何れか１つに対する再生要請（例えば、５１１をタッチ）することができる。
【００７７】
ところで、表示されていない５１３の動映像コンテンツを確認するために、ユーザはスクローリング入力を通じて表示されていない５１３の動映像コンテンツが表示画面に表示されるように要請でき、これによって、ウェブページは図１１の５１０ｄの表示画面のように表示される。しかしながら、ウェブページで提供する動映像コンテンツの個数が多い場合、ユーザはスクローリング入力を長時間に亘り入力しなければならないという不便を被る。
【００７８】
従って、本発明の実施形態に従う制御部１０は、ウェブページで提供する動映像コンテンツのリストを予め設定された位置に表示して、ユーザがウェブページで提供する動映像コンテンツのリストを容易に確認できるようにする。
【００７９】
この際、動映像コンテンツのリストは表示画面の予め設定された位置に表示されることができ、動映像コンテンツのリストはウェブページで提供する動映像コンテンツの各々のサムネイル形態で表示できる。ここで、ウェブページのＨＴＭＬコード内にサムネイルに対する情報（例えば、サムネイルイメージに対するリンク情報）が存在すれば、サムネイル形態により動映像コンテンツのリストを表示することが可能であり、サムネイルに対する情報が存在しなければ、動映像コンテンツに対する要約情報（例えば、ウェブページのＨＴＭＬコードで提供する動映像コンテンツに対する説明又は題目など）の形態により動映像コンテンツのリストを表示することが可能である。
【００８０】
例えば、本発明の実施形態に従う制御部１０は、図１１の表示画面５１０ｅに示された５１１ａ、５１２ａ、及び５１３ａのように、５１１、５１２、及び５１３の縮小画面形態（例えば、サムネイル）にウェブページで表示される動映像コンテンツのリストを表示画面５１０ｅの右側上段に表示するように制御する。また、図１１の表示画面５１０ｅには図１０に示されたインタフェース５３０が表示されていないが、表示していない理由は図面の作成を容易にするためであって、ステップＳ４０３乃至Ｓ４０５の遂行とそれに従う表示画面５１０ｅにもインタフェース５３０が自動又は手動で表示できることは当業者に自明であろう。
【００８１】
以後、表示された動映像コンテンツのリスト（例えば、５１１ａ、５１２ａ、及び５１３ａ）のうち、何れか１つが選択されれば、制御部１０は対応する動映像コンテンツが再生されるようにする機能を提供する。例えば、図１１の表示画面（５１０ｅ）で、ユーザにより５１２ａが選択（タッチ）されれば、制御部１０は５１２ａに対応する動映像コンテンツ５１２が再生されるように制御する。
【００８２】
今まで説明した本発明の第２実施形態を通じて、表示画面５１０ｅの５１１ａから５１３ａのようにウェブページで表示される動映像コンテンツのリストが表示されれば、ユーザはスクローリング入力無しでも５１２の動映像コンテンツの次には５１３の動映像コンテンツが存在するかを容易に確認できるだけでなく、再生しようとする動映像コンテンツを速やかに選択できる。
【００８３】
一方、図１０に示されたウェブページで提供する動映像コンテンツの再生を制御できるインタフェース５３０は、大ボリュームに動映像コンテンツが再生される時の不都合を解消する本発明の趣旨を考慮してボリューム調節機能のみを提供する例を示している。しかしながら、インタフェース５３０がボリューム調節機能のみを提供する場合に限定されないことは当業者に自明である。例えば、インタフェース５３０は、再生（Ｐｌａｙ）、一時停止（Ｐａｕｓｅ）、及び中止（Ｓｔｏｐ）などの機能も提供できる。
【００８４】
一方、ユーザにより接続要請されたウェブページは、他のウェブページの文書（ＨＴＭＬ）をローディングして表示するｉｆｒａｍｅタグ（例えば、＜ｉｆｒａｍｅ  ｓｒｃ＝”ｈｔｔｐ：／／ｗｗｗ．ｎａｖｅｒ．ｃｏｍ／”＞＜／ｉｆｒａｍｅ＞）を含み得るが、ｉｆｒａｍｅタグが存在する場合にはｉｆｒａｍｅタグ内のウェブページのＨＴＭＬコードを読み込んで分析して前述した本発明の第１実施形態及び第２実施形態を適用できることは当業者に自明であろう。
【００８５】
また、ウェブページに多数の動映像コンテンツが提供される時に関する本発明の第２実施形態はウェブページに多数の静止映像コンテンツが提供される時にも適用可能であるということは当業者に自明であろう。
【００８６】
ステップＳ４０７で、制御部１０は接続要請されたウェブページに動映像コンテンツと関連したタグが存在しないと確認されれば、接続要請されたウェブページのＨＴＭＬコード分析結果に対応するようにウェブページが表示されるように制御する。
【００８７】
今まで本発明に対して詳細に説明したが、その過程で言及した実施形態はあくまでも例示的であって、限定的ではないことをここに明確にする。従って、本発明は以下の特許請求範囲により提供される本発明の技術的思想や分野を逸脱しない範囲内で、本発明から均等に代替できる程度の構成要素の変更は本発明の範囲に属する。
【符号の説明】
【００８８】
２３    無線送受信部
２５    オーディオ処理部
２７    キー入力部
３０    メモリ
５０    表示部
３１０ａ、３１０ｃ、３１０ｄ、３１０ｅ    表示画面
３１１〜３１５    音楽ファイル
３２１〜３２３    ＨＴＭＬタグ
３３０    インタフェース
３４０    警告メッセージ
５０１、５０２、５０３    運動方法
５１０ａ、５１０ｂ、５１０ｃ、５１０ｄ、５１０ｅ    表示画面
５１１、５１２、５１３    動映像コンテンツ
５１１ａ、５１２ａ、５１３ａ    動映像コンテンツ（微小画面形態）
５２１、５２２    ＨＴＭＬタグ
５３０、５３１    インタフェース
【図１】
2014182827.tif 000003
【図２】
2014182827.tif 000004
【図３】
2014182827.tif 000005
【図４】
2014182827.tif 000006
【図５】
2014182827.tif 000007
【図６】
2014182827.tif 000008
【図７】
2014182827.tif 000009
【図８】
2014182827.tif 000010
【図９】
2014182827.tif 000011
【図１０】
2014182827.tif 000012
【図１１】
2014182827.tif 000013